(57)【特許請求の範囲】
【請求項１】
屋内と屋外の境界域を照明する複数のライトアップ用照明器具を、それらによるライトアップ範囲を部屋の区画に対応させて設け、前記ライトアップ用照明器具と各部屋の室内照明器具とを、何れかの部屋の室内照明器具が消灯することにより、その部屋に対応するライトアップ用照明器具だけが自動的に点灯し、何れかの部屋の室内照明器具が点灯することにより、その部屋に対応するライトアップ用照明器具だけが自動的に消灯するように連動させ、室内照明器具が消灯した部屋に対応する範囲だけをライトアップするように構成したことを特徴とするライトアップシステムを備えた建築物。
【請求項２】
ライトアップ用照明器具が屋外に設置されている請求項１に記載のライトアップシステムを備えた建築物。
【請求項３】
ライトアップ用照明器具が屋内に設置されている請求項１に記載のライトアップシステムを備えた建築物。
【請求項４】
外壁がダブルスキンのガラスカーテンウォールとされ、当該ガラスカーテンウォールの中空部にライトアップ用照明器具が設置されている請求項１に記載のライトアップシステムを備えた建築物。
【発明の詳細な説明】
【０００１】
【発明の属する技術分野】
本発明は、事務所ビル等の建築物をライトアップする技術に関する。
【０００２】
【従来の技術】
夜間に事務所ビル等の建築物をライトアップすることは、アクティビティの高い都市景観を生み出す上で、非常に効果的である。しかし、従来のライトアップ設備を備えた建築物では、外壁面に沿って設けられたライトアップ用照明器具を所定の時刻に一斉に点灯するように構成されていたので、残業等のために使用中の部屋がある場合、室内照明器具とライトアップ用照明器具とが同時に点灯することになり、電力消費に無駄があるばかりでなく、部屋内の人々にとって、外部から入り込むライトアップ用の光が不快に感じられることがあった。そのため、ライトアップの時間帯やデザインに対する制限が大きかった。
【０００３】
また、ライトアップ用の光が窓から部屋内に差し込まないようにするために、ライトアップすべき建築物と隣接する建物の上部等に、ライトアップ用照明器具と、ライトアップすべき建築物の外観に対応するパターンの遮光マスクとを設けて、窓以外の壁面に光を照射するようにしたライトアップシステムも、特開平７−２６２８０７号公報によって提案されている。
【０００４】
このライトアップシステムは、例えば連窓構造の建築物など窓と窓の間に不透明な広い壁面が存在する建物には有効と思われるが、全面ガラス張りの建築物には不向きであり、しかも、部屋の使用中にライトアップされることを前提とした技術であるから、室内照明器具とライトアップ用照明器具とが同時に点灯することになり、電力消費に無駄がある点では、先に述べた従来例と大同小異である。
【０００５】
【発明が解決しようとする課題】
本発明は、上記の点に留意してなされたものであって、その目的とするところは、部屋の使用状態に応じて建築物をライトアップすることにより、電力消費の無駄を無くすと共に、部屋の使用状態によりライトアップの様相が変化して、より一層アクティビティの高い都市景観を生み出すことができ、しかも、ライトアップ用の光が室内に入り込んでも機能的に不都合がないため、ライトアップの時間帯やデザイン上の自由度が大きくなるライトアップシステムを備えた建築物を提供することにある。
【０００６】
【課題を解決するための手段】
上記の課題を解決するために、本発明が講じた技術的手段は、次のとおりである。即ち、本発明に係るライトアップシステムを備えた建築物は、屋内と屋外の境界域を照明する複数のライトアップ用照明器具を、それらによるライトアップ範囲を部屋の区画に対応させて設け、前記ライトアップ用照明器具と各部屋の室内照明器具とを、何れかの部屋の室内照明器具が消灯することにより、その部屋に対応するライトアップ用照明器具だけが自動的に点灯し、何れかの部屋の室内照明器具が点灯することにより、その部屋に対応するライトアップ用照明器具だけが自動的に消灯するように連動させ、室内照明器具が消灯した部屋に対応する範囲だけをライトアップするように構成したことを特徴としている。
【０００７】
尚、ライトアップ用照明器具の電源をＯＮ・ＯＦＦするメインスイッチは、人為的にＯＮ・ＯＦＦ操作すべく構成してもよいが、タイマー又は太陽光の明るさが一定以下に低下することを検出する検出器によってＯＮ動作し、タイマーによる設定時間経過後にＯＦＦ動作すべく制御することが望ましい。何れの場合も、メインスイッチがＯＮの状態にあるとき、上記のライトアップシステムが動作することになる。
【０００８】
ライトアップ用照明器具は、請求項２に記載のとおり、屋外に設けてもよく、請求項３に記載のとおり、屋内に設けてもよい。請求項４に記載のとおり、外壁がダブルスキンのガラスカーテンウォールとされた建築物の場合、当該ガラスカーテンウォールの中空部にライトアップ用照明器具を設置することが後述する理由により好ましい。
【０００９】
上記の構成によれば、日が暮れ、建築物がライトアップされるべき時刻になっても、全部の部屋が使用中で、それらの室内照明器具が点灯している時には、ライトアップ用照明器具は点灯しない。
【００１０】
何れかの部屋の使用が終わり、その部屋の室内照明器具が消灯すると、この消灯した部屋の区画に対応して設けられているライトアップ用照明器具が自動的に点灯し、室内照明器具が消灯した部屋に対応する範囲だけをライトアップする。
【００１１】
他の部屋の使用が終わって、室内照明器具が消灯すると、その部屋の区画に対応して設けられているライトアップ用照明器具も自動的に点灯して、ライトアップの範囲が拡大し、以下、次々と同様な行程を経て、全ての部屋の室内照明器具が消灯すると、全部のライトアップ用照明器具が点灯することになる。
【００１２】
そして、何れかの部屋の室内照明器具が再び点灯すると、その部屋の区画に対応して設けられているライトアップ用照明器具だけが自動的に消灯し、室内照明器具が点灯した部屋に対応する範囲だけライトアップが中断されることになる。
【００１３】
このように、部屋の使用状態に応じて部屋毎に建築物をライトアップするので、室内照明器具とライトアップ用照明器具とが同時に点灯することがなく、電力消費の無駄を回避できるのである。
【００１４】
また、ライトアップ用照明器具の点灯によりライトアップされる範囲は、室内照明器具が消灯した不使用の部屋に対応しているため、ライトアップ用の光が室内に入り込んでも機能的に不都合がなく、従って、ライトアップの時間帯やデザイン上の自由度が大きくなる。
【００１５】
殊に、ライトアップ用照明器具がライトアップ範囲を部屋の区画に対応させて設けられており、室内照明器具の消灯と点灯に連動して点滅するので、部屋の使用状態によりライトアップの様相が変化して、時間的変化に伴う多様な意匠的効果が得られ、より一層アクティビティの高い都市景観を生み出すことができる。
【００１６】
【発明の実施の形態】
図１〜図３は、部屋毎に点滅するライトアップシステムを備えた建築物の一例を示す。１は、屋内と屋外の境界域を照明する複数のライトアップ用照明器具であり、屋外に設置されている。具体的には、図２、図３に示すように、外壁面２に、各階の床面３と略同一レベルの位置に沿って上向きに設けられている。そして、屋内と屋外の境界域の一例である窓ガラス４の外面に向けて光を照射するように構成されている。
【００１７】
前記ライトアップ用照明器具１は、それらによるライトアップ範囲を部屋５の区画に対応させて設けられている。即ち、外壁面２に沿って配置された複数の部屋５の間仕切りを横方向での区切りとして、その範囲だけをライトアップすることができるように、ライトアップ用照明器具１が必要個数ずつ設置されている。ライトアップ用照明器具１としては、横長形状の物、スポットライト的な形状の物、それらの組合せ等の何れであってもよいが、間仕切り位置の変更による部屋５の横幅の変更に備えて、図３に示すように、方立６の間隔に対応させて設置しておくことが望ましい。
【００１８】
前記ライトアップ用照明器具１と各部屋５の室内照明器具７には、何れかの部屋５の室内照明器具７が消灯することにより、その部屋３に対応するライトアップ用照明器具１だけが自動的に点灯し、何れかの部屋５の室内照明器具７が点灯することにより、その部屋５に対応するライトアップ用照明器具１だけが自動的に消灯するように連動させる制御回路（図示せず）が設けられており、室内照明器具７が消灯した部屋５に対応する範囲だけをライトアップするように構成されている。また、ライトアップ用照明器具１の電源をＯＮ・ＯＦＦするメインスイッチ（図示せず）は、太陽光の明るさが一定以下に低下することを検出する検出器（図示せず）によってＯＮ動作し、タイマーによる設定時間経過後にＯＦＦ動作すべく制御され、メインスイッチがＯＮの状態にあるとき、上記のライトアップシステムが動作するように構成されている。
【００１９】
尚、ライトアップ用照明器具１としては、例えば、蛍光灯、ハロゲンランプなど任意のものを採用できる。また、室内照明器具７としては、蛍光灯が使用されるのが普通であるから、室内照明器具７とは異なる波長の光を照射する照明器具をライトアップ用照明器具１として使用することにより、ライトアップされた範囲と、室内照明器具７が点灯している部屋（ライトアップされていない範囲）との視覚的な差異が顕著になり、より一層効果的である。
【００２０】
上記の構成によれば、日が暮れ、建築物がライトアップされるべき時刻になっても、つまり、ライトアップ用照明器具１のメインスイッチがＯＮの状態に切り換えられていても、全部の部屋５が使用中で、それらの室内照明器具７が点灯している時には、何れのライトアップ用照明器具１も点灯しない。図２の（Ａ）は部屋５の室内照明器具７が点灯しているため、ライトアップ用照明器具１が消灯しており、その部屋５の窓ガラス４がライトアップされていない状態を示している。
【００２１】
何れかの部屋５の使用が終わり、その部屋の室内照明器具７が消灯すると、この消灯した部屋５の区画に対応して設けられているライトアップ用照明器具１が自動的に点灯し、室内照明器具７が消灯した部屋５に対応する範囲だけをライトアップする。図１のａはライトアップされていない範囲（室内照明器具７が点灯した部屋５の窓ガラス４）を示し、ｂはライトアップされている範囲（室内照明器具７が消灯した部屋５の窓ガラス４）を示している。図２の（Ｂ）は部屋５の室内照明器具７が消灯することにより、ライトアップ用照明器具１が点灯して、その部屋５の窓ガラス４がライトアップされている状態を示している。
【００２２】
他の部屋５の使用が終わって、室内照明器具７が消灯すると、その部屋５の区画に対応して設けられているライトアップ用照明器具１も自動的に点灯して、ライトアップの範囲が拡大し、以下、次々と同様な工程を経て、全ての部屋５の室内照明器具７が消灯すると、全部のライトアップ用照明器具１が点灯し、建築物全体がライトアップされることになる。
【００２３】
何れかの部屋５の室内照明器具７が再び点灯すると、その部屋５の区画に対応して設けられているライトアップ用照明器具１だけが自動的に消灯し、室内照明器具７が点灯した部屋５に対応する範囲だけライトアップが中断されるので、図１に示すように、部分的にライトアップされた状態となる。
【００２４】
上記のとおり、ライトアップ用照明器具１がライトアップ範囲を部屋５の区画に対応させて設けられており、室内照明器具７の消灯と点灯に連動して点滅するので、部屋５の使用状態によりライトアップの様相が変化して、時間的変化に伴う多様な意匠的効果が得られることになり、より一層アクティビティの高い都市景観を生み出すことができるのである。
【００２５】
また、部屋５の使用状態に応じて建築物をライトアップするので、室内照明器具７とライトアップ用照明器具１とが同時に点灯することがなく、電力消費の無駄を回避でき、しかも、ライトアップ用照明器具１の点灯によりライトアップされる範囲は、室内照明器具７が消灯した不使用の部屋５に対応しているため、ライトアップ用の光が室内に入り込んでも機能的に不都合がなく、従って、ライトアップの時間帯やデザイン上の自由度が大きくなる。
【００２６】
図４、図５は、他の実施の形態を示し、屋内と屋外の境界域を照明するライトアップ用照明器具１として、各階における屋内（例えば床面３）に設置され、光を屋内の窓際に位置する柱８に向けて照射するように構成されているライトアップ用照明器具１と、屋外（外壁面２）に、各階の床面３と略同一レベルの位置に沿って上向きに設けられ、窓ガラス４の外面に向けて光を照射するように構成されているライトアップ用照明器具１とを併用した点に特徴がある。図４中の実線矢印は点灯していることを示し、破線矢印は消灯していることを示す。
【００２７】
この例によれば、図５に示すように、ライトアップされている範囲（室内照明器具７が消灯した部屋５の窓ガラス４）ｂの室内側に、柱８がライトアップされることになり、独特な意匠的効果が得られる。その他の構成、作用は、図１〜図３で説明した実施の形態と同じであるため、同一構成部材に同一符号を付し、説明を省略する。
【００２８】
図６は、他の実施の形態を示し、屋内と屋外の境界域を照明するライトアップ用照明器具１として、各階における屋内（例えば天井面９）に設置され、光を屋内の窓際に置かれた鉢植え観葉植物等の植栽１０に向けて照射するように構成されているライトアップ用照明器具１と、屋外（外壁面２）に、各階の床面３と略同一レベルの位置に沿って上向きに設けられ、窓ガラス４の外面に向けて光を照射するように構成されているライトアップ用照明器具１とを併用した点に特徴がある。図６中の実線矢印は点灯していることを示し、破線矢印は消灯していることを示す。その他の構成、作用は、図４、図５で説明した実施の形態と同じであるため、同一構成部材に同一符号を付し、説明を省略する。
【００２９】
尚、図４〜図６に示した実施の形態において、屋外のライトアップ用照明器具１を省略してもよい。即ち、屋内と屋外の境界域を照明するライトアップ用照明器具１としては、屋内に設置され、屋内の窓際に位置する柱８や、窓際に置かれた鉢植え観葉植物等の植栽１０に向けて光を照射するものであってもよく、屋外に設置するものに限定されない。図示しないが、屋内と屋外の境界域を照明するライトアップ用照明器具１としては、窓際の床面３に設置され、窓際の天井面９に向けて光を照射するように構成したもの等々、種々のデザインのものを採用できる。
【００３０】
図７は、他の実施の形態を示す。この実施の形態は、冷暖房負荷を低減するために外壁をダブルスキン（二重構造）のガラスカーテンウォールＷとした建築物において、屋内と屋外の境界域を照明するライトアップ用照明器具１をガラスカーテンウォールＷの中空部１１に設置した点に特徴がある。具体的には、前記ライトアップ用照明器具１は、前記ガラスカーテンウォールＷの中空部１１内で且つ床面３と略同一レベルの位置に、上向きに光を照射するように設置されている。図７中の実線矢印は点灯していることを示し、破線矢印は消灯していることを示す。
【００３１】
この構成によれば、ライトアップ用照明器具１の光がダブルスキンのガラスカーテンウォールＷの内面で反射することにより、独特な意匠的効果が得られる。しかも、ライトアップ用照明器具１が二重構造のガラスカーテンウォールＷの中空部１１内にあるため、汚れ、風雨、破損等から保護されることになり、それでいて、ダブルスキン（二重構造）のガラスカーテンウォールＷにおいては、内側のガラスカーテンウォール部分Ｗ1を屋内側から開閉可能に構成してあるので、ライトアップ用照明器具１のメンテナンスを屋内側からの作業によって容易かつ安全に行える利点がある。その他の構成、作用は、図１〜図３で説明した実施の形態と同じであるため、同一構成部材に同一符号を付し、説明を省略する。
【００３２】
図８、図９は、他の実施の形態を示す。この実施の形態は、冷暖房負荷を低減するために外壁をダブルスキン（二重構造）のガラスカーテンウォールＷとした建築物において、屋内と屋外の境界域を照明するライトアップ用照明器具１として、各階における屋内（例えば床面３）に設置され、光を屋内の窓際に位置する柱８に向けて照射するように構成されているライトアップ用照明器具１と、前記ガラスカーテンウォールＷの中空部１１内で且つ床面３と略同一レベルの位置に、上向きに光を照射するように設置されたライトアップ用照明器具１とを併用した点に特徴がある。図８中の実線矢印は点灯していることを示し、破線矢印は消灯していることを示す。
【００３３】
この例によれば、図７の場合と同様なライトアップによる意匠的効果に加え、図９に示すように、ライトアップされている範囲（室内照明器具７が消灯した部屋５のガラスカーテンウォールＷ）ｂの室内側に、柱８がライトアップされることになり、独特な意匠的効果が得られるのである。その他の構成、作用は、図７で説明した実施の形態と同じであるため、同一構成部材に同一符号を付し、説明を省略する。
【００３４】
【発明の効果】
本発明は、上述した構成よりなり、部屋の使用状態に応じて建築物をライトアップするので、電力消費の無駄を無くすことができると共に、部屋の使用状態によりライトアップの様相が変化して、より一層アクティビティの高い都市景観を生み出すことができ、しかも、ライトアップ用の光が室内に入り込んでも機能的に不都合がないため、ライトアップの時間帯やデザイン上の自由度が大きくなる等の効果がある。
【図面の簡単な説明】
【図１】建築物の一部がライトアップされた状態を示す斜視図である。
【図２】要部の断面図である。
【図３】要部の斜視図である。
【図４】他の実施の形態を示す要部の断面図である。
【図５】建築物の一部がライトアップされた状態を示す斜視図である。
【図６】他の実施の形態を示す要部の断面図である。
【図７】他の実施の形態を示す要部の断面図である。
【図８】他の実施の形態を示す要部の断面図である。
【図９】建築物の一部がライトアップされた状態を示す斜視図である。
【符号の説明】
１…ライトアップ用照明器具、５…部屋、７…室内照明器具。
【図１】
0003949477.tif 000002
【図２】
0003949477.tif 000003
【図３】
0003949477.tif 000004
【図４】
0003949477.tif 000005
【図５】
0003949477.tif 000006
【図６】
0003949477.tif 000007
【図７】
0003949477.tif 000008
【図８】
0003949477.tif 000009
【図９】
0003949477.tif 000010